(57)【要約】  流体貯蔵器（１）と組み合わされる流体ディスペンサヘッドであって、前記貯蔵器に形成された、あるいは、当該貯蔵器に取り付けられる静止ベース部（２）と、ベース部（２）に回転可能な様態で取り付けられる回転アクチュエータ部材（３）であって、回転軸を中心に回転して両端の２つの接触位置の間を移動するように取り付けられた前記アクチュエータ部材（３）と、そして、前記部材をベース部上で回転させることによって選択的に閉じることが可能なディスペンサ開口部（３０）と、を有する。特徴となるのは、両端の２つの停止位置がディスペンサ開口部の２つの開位置を規定し、これら開位置は、ディスペンサ開口部が閉じた状態となる、少なくとも１つの位置によって隔てられていること、そして、ディスペンサ開口部（３０）が前記部材のベース部上での回転軸上に位置すること、である。
2007516135.tif 000002
【特許請求の範囲】
【請求項１】
流体貯蔵器（１）と組み合わされる流体ディスペンサヘッドであって、
前記貯蔵器に形成された、あるいは、当該貯蔵器に取り付けられた静止ベース部（２）と、
ベース部（２）に回転可能な様態で取り付けられる回転アクチュエータ部材（３）であって、回転軸を中心に回転して両端の２つの接触位置の間を移動するように取り付けられた前記アクチュエータ部材（３）と、そして、
前記部材をベース部上で回転させることによって選択的に閉じることが可能なディスペンサ開口部（３０）と、を有し、
特徴となるのは、
両端の２つの接触位置がディスペンサ開口部の２つの開位置を規定し、これら開位置は、ディスペンサ開口部が閉じた状態となる、少なくとも１つの位置によって隔てられていること、そして、ディスペンサ開口部（３０）が前記部材のベース部上での回転軸上に位置すること、である
という前記ディスペンサヘッド。
【請求項２】
流体がディスペンサ開口部を通って流れる際の流速を、一方の開位置から他方の開位置までで変化させることを可能にする流速変化手段（２０）を更に有すること、
を特徴とする請求項１に記載のディスペンサヘッド。
【請求項３】
前記部材（３）がベース部上で回転している間に、ベース部（２）に対して前記部材（３）を軸方向に移動させることができる軸方向移動手段（２２１，３２１）を更に有すること、
を特徴とする請求項１または２に記載のディスペンサヘッド。
【請求項４】
軸方向移動手段は、低位部分（２２１０）で一体に接続された２つのセクション（２２１１，２２１２）が見られるガイド経路（２２１）を少なくとも１つ有し、２つのセクションの各々には端接触部（２２１３，２２１４）が形作られ、当該接触部は各々が２つの開位置のいずれかに対応しており、前記低位部分は閉位置に対応していること、
を特徴とする請求項３に記載のディスペンサヘッド。
【請求項５】
ベース部には軸方向回転ガイドウィンドウ（２２１）が少なくとも１つ形成され、当該ウィンドウはベース部の周囲の一部にわたって延びており、前記ウィンドウはガイド経路を形作り、また、前記ウィンドウには２つの接合されたウィンドウセクション（２２１１，２２１２）が形成されており、第１セクションは第１のスロープを形作り、第２のセクション（２２１２）は、第１のスロープとは異なる第２のスロープを形作り、各セクションには接触端部（２２１３，２２１４）が形作られ、これら接触端部は軸方向に位置がずれており、
アクチュエータ部材は、少なくとも１つの軸方向回転ガイドラグ（３２１）を有し、当該ラグは前記ウィンドウに嵌まり、それによって、アクチュエータ部材がベース部上で回転させられている間、前記少なくとも１つのラグは、それに対応するウィンドウの中で移動することで、アクチュエータ部材（３）を軸方向に移動させ、それにより、ラグが第１セクションまたは第２セクションのいずれに対して接しているかに応じて、異なる高さに達すること、
を特徴とする請求項４に記載のディスペンサヘッド。
【請求項６】
前記複数のスロープは、傾斜および／または長さが異なっていること、
を特徴とする請求項４または５に記載のディスペンサヘッド。
【請求項７】
ベース部（２）はリング（２２）を有し、当該リングの周囲には複数の軸方向回転ガイドウィンドウ（２２１）が分散配置された形で形成されており、部材（３）はリングを囲む形に延びたスカート（３２）を有し、当該スカートには、その内側に、複数の軸方向回転ガイドラグ（３２１）が形成されており、当該ラグはいずれかのウィンドウに嵌まること、
を特徴とする請求項４乃至６に記載のディスペンサヘッド。
【請求項８】
部材（３）にはディスペンサ開口部（３０）が、そして、ベース部（２）には閉鎖ピン（２０）が形成されており、当該ピンは、閉位置ではディスペンサ開口部に嵌まっており、２つある開位置では、位置ごとに異なる量だけ開口部から外れ、それによって、開口部を通る流速を２つの開位置で変化させること、
を特徴とする請求項１乃至７のいずれかに記載のディスペンサヘッド。
【請求項９】
アクチュエータ部材（３）は軸方向ガイド手段（３６）を有し、当該手段（３６）は、ピン（２０）を囲む形で嵌められ、それによって、ピンは、前記軸方向ガイド手段の中でスライド移動できるように設置された形となり、
前記ガイド手段はディスペンサ開口部の周囲から下方向に延び、また、前記ガイド手段は複数のスロット（３６３）を形成し、当該スロットは、軸方向ガイド手段の中でのピンの位置に従ってサイズが変化すること、
を特徴とする請求項８に記載のディスペンサヘッド。
【請求項１０】
軸方向ガイド手段は、ディスペンサ開口部の外周部から下向きに延びた複数のタブ（３６１）を有し、前記タブは、スライド移動可能な形でピンを囲む状態で嵌められているスクレーパ（３６２）によって接合されていること、
を特徴とする請求項９に記載のディスペンサヘッド。
【請求項１１】
ベース部（２）は内部スリーブ（２１）を有し、当該スリーブの内部にピン（２０）が延びており、アクチュエータ部材は、スリーブの上に配置されてディスペンサ開口部（３０）が形成されている、というカバー（３１，３２）を有し、前記カバーは環状リップ（３３）を有し、当該リップは、前記スリーブ（２１）と、回転スライド運動型の耐漏洩接触の状態にあること、
を特徴とする請求項８乃至１０のいずれかに記載のディスペンサヘッド。
【請求項１２】
アクチュエータ部材（３）は、ベース部（２）によってブロックされる分離可能安全タブ（３５）を有し、それによって、閉位置では、アクチュエータ部材のベース部上での回転は防止されること、
を特徴とする請求項１乃至１１のいずれかに記載のディスペンサヘッド。
【請求項１３】
両端の２つの開位置は、少なくとも１つの、中間にある固定された開位置によって隔てられていること、
を特徴とする請求項１乃至１２のいずれかに記載のディスペンサヘッド。
【発明の詳細な説明】
【技術分野】
【０００１】
本発明は、流体貯蔵器と組み合わせる流体ディスペンサヘッドに関する。
【背景技術】
【０００２】
ディスペンサヘッドは一般に、貯蔵器に形成された、あるいは、その上に取り付けられた静止ベース部を有する。加えて、ヘッドは回転アクチュエータ部材を有し、当該部材は、軸を中心に回転して両端の２つの接触位置の間を移動するように、ベース部の上で回転可能な形に取り付けられている。さらに、ヘッドは、アクチュエータ部材をベース部上で回転させることによって選択的に閉じることが可能なディスペンサ開口部を有する。こうしたディスペンサヘッドは、貯蔵器に格納された流体（液体、粒子または粉末の形を取るもの）を投与するための駆動可能閉鎖システムにおいて用いられることが多い。こうしたヘッドの効果的な用途は、食品業界、スキンケア、特に化粧品の分野にある。ただし、その他の分野が排除されるわけではない。
【０００３】
一般に、このような、ベース部と回転アクチュエータ部材とを有するディスペンサヘッドは、アクチュエータ部材をベース部上で回転させることによって、開位置と閉位置との間を動かす形で駆動できる。また、回転部材をベース部上で回転させることで、閉位置では閉じている１つ以上のディスペンサ開口部の口を開いたり、これを開けたりできる、という形が知られている。また、断面積の異なる複数のディスペンサ開口部を備え、それによって、流体がディスペンサ開口部を通って流れる際の流速を変えることができる、というヘッドも知られている。しかし、本発明は、単一のディスペンサ開口部を有するディスペンサヘッドに関する（ただし、開口部それ自体が複数の穴を有している）。このように単一のディスペンサ開口部を有するディスペンサヘッドでは、アクチュエータ部材の回転によって可能なのは、両端の２つの接触位置の間で、単にディスペンサ開口部を開閉することだけである。
【発明の開示】
【発明が解決しようとする課題】
【０００４】
本発明の目的は、単一のディスペンサ開口部を有するディスペンサヘッドであって、ディスペンサ開口部のモジュール式（modular manner）での使用を可能にする、というヘッドを規定することである。また、本発明はさらに、段階的な様態でディスペンサ開口部を開けることを可能にすることを目的とする。
【課題を解決するための手段】
【０００５】
これらの目的を達成するために、本発明が提案するのは、アクチュエータ部材のベース部上での回転において、両端の２つの接触位置がディスペンサ開口部の２つの開位置を規定し、それらが両者の間に少なくとも１つある閉位置（ディスペンサ開口部が閉じている位置）によって隔てられている、という構成である。
【発明の効果】
【０００６】
こうした構成により、ベース部上でアクチュエータ部材を時計回り方向または反時計回り方向に回転させるだけで、２つの開位置が得られ、効果的な構成として、それら開位置は閉位置を挟んで対称的な形で配置されている。２つの開位置については、同一の流体流量特性をもたらすこととし、２つの位置は完全に対称的であり同等である、としてもよい。しかし、本発明では、流体がディスペンサ開口部を通って流れる際の流速を、一方の開位置から他方の開位置までで変化させることを可能にする流速変化手段を更に有する。その結果、所定の長さの時間において、一方の開位置では、もう一方の開位置よりも多くの流体を投与することが可能となる。こうして、流体はディスペンサ開口部を通ってモジュール式で投与される。
【０００７】
効果的な実施の形態では、ディスペンサ開口部の位置は、ベース部上での前記部材の回転軸上となっている。従って、本発明のディスペンサヘッドが取り付けられるディスペンサや包装は、単一の軸中央ディスペンサ開口部を備えた、従来通りの塩入れや胡椒入れの形をしている。
本発明の、別の効果的な特性によれば、前記部材がベース部上で回転している間に、ベース部に対して前記部材を軸方向に移動させることができる軸方向移動手段を更に有する。
【０００８】
また、効果的な構成として、軸方向移動手段は、低位部分で一体に接続された２つのセクションが見られるガイド経路を少なくとも１つ有し、２つのセクションの各々には端接触部が形作られ、当該接触部は各々が２つの開位置のいずれかに対応しており、前記低位部分は閉位置に対応している。また、好ましい構成として、ベース部には軸方向回転ガイドウィンドウが少なくとも１つ形成され、当該ウィンドウはベース部の周囲の一部にわたって延びており、前記ウィンドウはガイド経路を形作り、また、前記ウィンドウには２つの接合されたウィンドウセクションが形成されており、第１セクションは第１のスロープを形作り、第２のセクションは、第１のスロープとは異なる第２のスロープを形作り、各セクションには接触端部が形作られ、これら接触端部は軸方向に位置がずれており、アクチュエータ部材は、少なくとも１つの軸方向回転ガイドラグを有し、当該ラグは前記ウィンドウに嵌まり、それによって、アクチュエータ部材がベース部上で回転させられている間、前記少なくとも１つのラグは、それに対応するウィンドウの中で移動することで、アクチュエータ部材を軸方向に移動させ、それにより、ラグが第１セクションまたは第２セクションのいずれに対して接しているかに応じて、異なる高さに達する。そして、流量を変化させるために、前記複数のスロープは、傾斜および／または長さが異なっていること、としてもよい。また、実際的な実施の形態では、ベース部はリングを有し、当該リングの周囲には複数の軸方向回転ガイドウィンドウが分散配置された形で形成されており、カバーはリングを囲む形に延びたスカートを有し、当該スカートには、その内側に、複数の軸方向回転ガイドラグが形成されており、当該ラグはいずれかのウィンドウに嵌まる。
【０００９】
また、本発明の別な側面では、部材にはディスペンサ開口部が、そして、ベース部には閉鎖ピンが形成されており、当該ピンは、閉位置ではディスペンサ開口部に嵌まっており、２つある開位置では、位置ごとに異なる量だけ開口部から外れ、それによって、開口部を通る流速を２つの開位置で変化させる。ピンをディスペンサ開口部からずらす際のずらし幅に大小の差をつけることで、一方の開位置における流量と他方の開位置における流量とを異なる値にすることができる。さらに厳密に言えば、こうしてずらし幅に大小の差をつけることによって、単一のディスペンサ開口部からすぐ下流での流体の流れ面積（flow section）を変化させることができる。また、効果的な構成として、アクチュエータ部材は軸方向ガイド手段を有し、当該手段は、ピンを囲む形で嵌められ、それによって、ピンは、前記軸方向ガイド手段の中でスライド移動できるように設置された形となり、前記ガイド手段はディスペンサ開口部の周囲から下方向に延び、また、前記ガイド手段は複数のスロットを形成し、当該スロットは、軸方向ガイド手段の中でのピンの位置に従ってサイズが変化すること、とする。また、実際的な実施の形態では、軸方向ガイド手段は、ディスペンサ開口部の外周部から下向きに延びた複数のタブを有し、前記タブは、スライド移動可能な形でピンを囲む状態で嵌められているスクレーパによって接合されていること、とする。また、ベース部は内部スリーブを有し、当該スリーブの内部にピンが延びており、アクチュエータ部材は、スリーブの上に配置されてディスペンサ開口部が形成されている、というカバーを有し、前記カバーは環状リップを有し、当該リップは、前記スリーブと、回転スライド運動型の耐漏洩接触の状態にある、としてもよい。また、本発明の別の特性によれば、アクチュエータ部材は、ベース部によってブロックされる分離可能安全タブを有し、それによって、閉位置では、アクチュエータ部材のベース部上での回転は防止される。
【００１０】
したがって、アクチュエータ部材をベース部上で、中間の閉位置から一方の端、そして他方の端まで回転させることによって、それぞれにおけるアクチュエータ部材の軸方向の高さが異なる、という２つの開位置が得られる。こうした結果となるのは、両端の接触部のうち一方が、他方よりも軸方向に見て高い位置にある、という事実による。これは、ディスペンサ開口部におけるピンのずれ幅の大きさに直接的な影響を与えるので、流量を変化させることが可能となる。
【発明を実施するための最良の形態】
【００１１】
以下、本発明について、非限定的な例として本発明の実施の形態を示す添付図面を参照しながら、さらに詳細に説明する。
本発明のディスペンサヘッドが取り付けられる流体ディスペンサは、流体（例えば、塩、クリーム、またはシャンプー）を格納した貯蔵器１を有するものである。さらに一般的に言えば、流体としては、液体、粒子または粉末が考えられる。貯蔵器１には、その頂上側端部に、スナップ留めグルーブ１１および肩１２が形成されており、肩１２は径方向内向きに延びて、その終端はネック１３となっている。ネック１３によって開口部が形作られており、これが、貯蔵器に格納された流体をそこから取り出すことを可能にする。貯蔵器は、本発明にとって重要な構成要素ではなく、形状やサイズはどんなものでもよい。スナップ留めグルーブ１１ならびに肩１２およびネック１３についてすら、本発明の範囲から逸脱しない形で、異なる形状を示すものにすることができる。
【００１２】
本実施の形態では、貯蔵器１は、２つの構成要素部材、すなわち、ベース部２と回転アクチュエータ部材３とを有したディスペンサヘッドに組み合わされている。本実施の形態では、ベース部２は貯蔵器１の上に設置されているが、ベース部２を貯蔵器１とを単一部分として一体的に製造することも考えられる。本実施の形態では、ディスペンサヘッドは２つの構成要素部材を有するが、本発明の範囲を越えない実施の形態として、ディスペンサヘッドがより多くの構成要素部材を有する場合もいくつかあるだろう。しかし、成形および組立の観点からは、２つの構成要素部材を有する実施の形態が効果的である。
【００１３】
いずれの図を見ても分かるように、ベース部２は、下側末端部分２１１の形作られた内部スリーブ２１を有し、当該部分２１１は、ネック１３の内側と耐漏洩接触している。この耐漏洩接触は固定的な耐漏洩接触であるが、それは、ベース部２が貯蔵器１の上に固定的な様態で設置されるように設計されていることによる。スリーブ２１には内部通路が形作られているが、これは、スリーブがネック１３内部に配置されると、貯蔵器１の内部に直接つながる。外側頂上端部２０１の形作られたピン２０が、スリーブ２１の軸方向に見て内側に、中心にくる形で配置されている。保持用リブ２０２がスリーブ２１の内壁をピン２０に接続する。ピン２０については、その頂上端部２０１から円筒形をした外壁を有するのが好ましい。スリーブ２１は、その頂上端部においてリング２２に接続しており、当該リングはスリーブ２１を囲む形で、これと同軸に延びている。いくつかの図（特に図２）において見られるように、リング２２は複数のウィンドウ２２１を備え、それらはリング２２の壁に開口部を形成している。ウィンドウ２２１は、本実施の形態での数は３つであるが、各々がガイド経路を形成している。ウィンドウは、リング２２の周囲に沿って、均一な角間隔で配置されている。各ウィンドウ２２１は、実質的にＶ字の形をしており、尖った部分が下を指している。そうして、各ウィンドウ２２１には、第１ウィンドウセクション２２１１と第２ウィンドウセクション２２１２とが規定されている。各々のセクションは、実質的にまっすぐなスロープまたはランプ(ramp)の形をしているが、水平方向または垂直方向に対して傾いている。つまり、各セクションには、所定の長さ、所定のプロフィール、そして所定の傾斜度を有したスロープ２２１５、２２１６が見られる。２つのスロープの傾斜度は同一とすることもできるが、本発明では、２つのスロープの傾斜度は異なるものとするのが好ましい。第１セクション２２１１に見られるスロープの有する傾斜度は、第２ウィンドウセクションのスロープの傾斜度よりも小さくなっている。さらに、ウィンドウセクション２２１１、２２１２は、低位部分２２１０で接続されて一体化している。その反対側の端部に、各ウィンドウセクションは接触端部２２１３、２２１４を有し、これがウィンドウセクションの両端の境界を規定している。本実施の形態では、接触端部２２１３、２２１４は低位部分２２１０から等しい距離にあり、それによって各ウィンドウセクションは同一の長さとなっている。ウィンドウセクションのスロープの傾斜度が異なり、しかも、それらの長さが同一であるため、接触端部２２１３、２２１４は共通の平面上には位置しないこととなり、それどころか、軸方向にずれた位置にある。また、第２セクションのスロープの傾斜度が第１セクション２２１１のスロープの傾斜度よりも大きいため、接触端部２２１４は、従って、接触端部２２１３より軸方向に高い位置にある。こうした、２つのウィンドウセクションの接触端部の間の軸方向の位置ずれは、２つのスロープが同一の傾斜度と異なる長さとを有する、という形にすることによっても得られる。また、ウィンドウセクション２２１２を、ウィンドウセクション２２１１より長いが傾斜度は同一である、形で設けることによっても、接触端部２２１４を接触端部２２１３に対して軸方向に見て上側にずれた位置に持ってくることができる。つまり、ウィンドウ２２１の接触端部の軸方向の位置ずれは、ウィンドウセクションのスロープの傾斜度、または、ウィンドウセクションのスロープの長さを変えることで実現される。さらに、異なる長さと異なる傾斜度との組合せを考えることも可能である。しかし、本発明でも、両ウィンドウの接触端部が同じ平面上に位置する形にすることは可能である。ただし、両端部の位置はずらすことが好ましい。
【００１４】
ここで図２を参照する。スロープ２２１５、２２１６の各々にセットバック２２１７、２２１８が形成されており、これらセットバックがスロープの直線性を中断している点にも注意すべきである。セットバック、ノッチまたはステップは、低位部分２２１０と接触端部２２１３、２２１４との間の中間位置を規定する。
リング２２を囲んで、ベース部２には、リングの周囲に沿って均一でない複雑な形状が形成されている。具体的には、ベース部には２つのフランジ２４が形成されており、それらは、第１に低くなったインデント２５によって、第２にシェルフ２６によって分断されている。インデント２５はフランジ２４よりも下に位置する。そして、シェルフ２６もフランジ２４の下に位置するが、その高さはインデント２５の高さよりもさらに低くなっている。また、インデント２５の位置が棚２６に対して、径方向に見てほぼ正反対側の位置にあることに注意すべきである。インデント２５は、およそ１０〜３０度の範囲に存する角度にわたって延びており、一方、シェルフ２６は、９０度よりも大きい角度にわたって延びている。ベース部にはまた、その下側の外周部に留め具カラー２３が形成されている。当該カラーは、スナップ留めによって留められるものであり、貯蔵器１に形成されたスナップ溝１１と協働するためのものである。よって、ベース部２は、グルーブ１１の位置で、貯蔵器１上に固定的な様態で取り付けられるが、スリーブ２１の下側末端部分２１１が耐漏洩様態でネック１３に嵌まることにより、この取り付けは耐漏洩様態となる。
【００１５】
本実施の形態で、回転アクチュエータ部材３はカバーの形を取り、当該カバーは、ディスペンサ開口部３０の形で中央に穴があけられた回転閉じプレート３１を有する。図１、２、３においては、ピン２０は、実質的な耐漏洩様態でディスペンサ開口部３０に嵌まっている。ディスペンサ開口部３０の下側の周囲には、プレート３１に軸方向のガイドタワー３６が形成されており、当該タワーは、ある程度の長さにわたって、ピン２０を囲む形で延びている。本実施の形態で、タワー３６はディスペンサ開口部３０の周囲とスクレーパ３６２とを相互接続する複数のタブによって構成されている。これにより、タワーは、タブ３６１同士の間に複数の流れスロット３６３を形作る。これは図４から見て取れ、同図においては、ピン２０の頂上端部２０１はプレート３１に対して下方にずれた位置にあり、それによってスロット３６３が開かれている。貯蔵器に直接通じるスリーブ２１によって形成された内部スペースとヘッド外部との間の連絡通路がスロット３６３によって作られている、ということは容易に理解されるであろう。こうした構成であるため、ピン２０がヘッド内部に引き込まれると、貯蔵器１に格納された流体は、流れスロット３６３を通過する形で、ディスペンサ開口部３０を通って流れることができる。ガイド・スクレーパタワー３６によって、ピン２０をヘッドの回転軸に保持することが可能となるだけでなく、アクチュエータ部材が回転させられるたびに、タワー内でのピンの移動によって得られる「擦り取り（scraping）効果」の力で、ピン２０を清掃することも可能となる。スクレーパ３６２とタブ３６１とが、この「擦り取り」作用に関与する。
【００１６】
その外周において、プレート３１からは、下方向にスカート３２が延びている。スカート３２は、リング２２を囲んで、これと中心が一致する状態で配置されている。本実施の形態では、スカート３２にはラグ３２１が３つ形成されており、それらは各々、リング２２に形成されたウィンドウ２２１のいずれかに嵌まる。これは、１つのラグに対して１つのウィンドウという形で、図３において見られる。ただし、スカート３２がラグ３２１を３つ有し、それらが、スカート３２の内壁の周囲に１２０度の間隔で均等に分散配置されている、という形も考えられる。ラグ３２１の各々がウィンドウ２２１のいずれかに嵌まること、そして、ウィンドウには、２つの同一または異なるスロープを有したプロフィールが見られることから、回転アクチュエータ部材３をベース部２上で回転させると、ラグは、スロープのプロフィールに従う形で、ウィンドウ内部で移動する。ラグ３２１がウィンドウ２２１の低位部分２２１０に位置している際、回転アクチュエータ部材３は、ベース部２との相対的な関係では、その最も低い位置にある。従って、ピン２０の方は、ガイドおよびスクレーパ塔３６の中で最も高い位置にある。これは、図１、２、３に示すような、ディスペンサヘッド閉位置に対応しており、この位置では、ピン２０の頂上端部２０１はディスペンサ開口部３０の中に位置しており、効果的な形として耐漏洩状態となっている。頂上端部２０１が実質的にプレート３１と同じ平面に位置している、ということにも注意すべきである。回転アクチュエータ部材３をベース部２上で、時計回り方向または反時計回り方向で開店させることにより、ラグは各ウィンドウに形成された２つのウィンドウセクションの一方において移動する。そうして、ラグは、各ウィンドウセクションに形作られたガイド経路のスロープに従う。回転アクチュエータ部材３は、ラグが接触端部２２１３または接触端部２２１４に対して接触状態になるまで回転させることができるが、いずれの端部に接触するかは、要素３が時計回り方向、反時計回り方向のいずれに回転させられたかによる。いずれの場合も、ウィンドウ２２１１の形状が、尖った部分が下を向いたＶ字となっているために、ラグは軸方向上向きの移動を強いられる。このことの結果として、プレート３１、そして、それに伴ってディスペンサ開口部３０が上昇するが、その一方で、ピン２０の位置は変わらない。見た目では、ピン２０の方がタワー３３６の中へと移動し、それによってスロット３６３が開かれる。ラグが接触端部に対して接触状態となると、それでディスペンサヘッドは開位置のうちの１つに達したことになる。当然、ラグがウィンドウの有する他方の接触端部に対して接する状態になった時には、もう１つの開位置に達したことになる。つまり、両極端に２つの開位置があり、これらがタワー３６内でのピン２０の２つの押し込み（driven-in）位置に対応している。ディスペンサ開口部３０からピン２０を外すことについても言うことができる。接触端部２２１３、２２１４が共通の水平面に位置している、すなわち、これら接触端部の間に軸方向の位置ずれがない場合、ピンは、いずれの開位置においても、同じような形で同じ程度に、押し入れられるか外される。対照的に、本発明の好適な実施の形態の場合のように、接触端部２２１３、２２１４の位置に軸方向のずれがあれば、２つの開位置は、ディスペンサ開口部３０に対するピン２０の２つの異なる契合位置または押し込み位置に対応する形となる。このことは、ディスペンサヘッドを２つの異なる開位置でそれぞれ示している図４と図５とを比較すれば見てとれる。図４におけるスロット３６３が図５におけるスロットよりも小さいことは、容易に見てとれる。このことは、図５におけるピン２０が、図４の状態よりも更に奥までタワー３６内に押し込まれている、という事実によって説明される。その結果、同じディスペンサ開口部３０を流れる流体でも、図５に対応する開位置での流速の方が、図４における開位置でのそれよりも速くなる。
【００１７】
スロープ２２１５、２２１６に形成されたセットバック２２１７、２２１８は、効果的な構成として、安定した中間開位置を規定し、この開位置は固定された値の中間流速に対応している。したがって、単一のウィンドウでも、２つの両端開位置が複数の固定された中間開位置と少なくとも１つの固定された中間閉位置とによって隔てられている、という形にすることが可能である。ただし、複数の閉位置および３つ以上の中間開位置を設ける、または、別の形として、２つのスロープのうち１つに中間開位置を１つだけ設ける、という形も可能である。
【００１８】
ピン２０をタワー３６の中で、大きくあるいはわずかに、ディスペンサ開口部３０より内側に押し入れることで、流体の流量を変化させることができる。さらに、ウィンドウ内にラグをはめることで、軸方向移動手段が構成され、その一方で回転の際のガイダンスが保証される。
回転アクチュエータ部材３に、スリーブ２１と耐漏洩様態の回転接触をする密閉リップ３３が形成されていることにも注意すべきである。これにより、ディスペンサヘッドの完全な動的密閉が保証される。加えて、アクチュエータ部材３には、部材３を回転させる際に補助するアクチュエータボタン３４も形成されている。アクチュエータボタン３４は、２つのフランジ２４の間にあるシェルフ２６の上に位置している。図４に見られるように、ボタン３４が後ろ側でフランジに対して接触状態にある場合、ディスペンサヘッドは流速が小さい方となる開位置ある。それに対して、アクチュエータボタン３４が他方のフランジ２４（図５においては、通常前面に位置する方）に対して接触状態にある場合、ディスペンサヘッドは流速が大きい方となる開位置にある。
【００１９】
別の効果的な特性によると、回転アクチュエータ部材はさらに、タブ３５の形を取る初回使用保証手段を有し、当該手段は、アクチュエータ部材３の他の部分と一体化した形で単一部品として作られていると共に、インデント２５に配置されている。好ましい構成として、タブ３５はインデント２５の幅全体にわたって延びており、それによって、隣接する両方のフランジ２４に接触した状態となる。これによって、回転アクチュエータ部材３の閉位置における回転は防止される。これは、図２および図３においてはっきりと見て取ることができる。ディスペンサヘッドを駆動するには、先ず、タブ３５を取り外すことが必要となる。
【００２０】
発明によって得られるディスペンサヘッドは、２つの開位置（同一、または、好ましくは異なるもの）を中間（さらに言えば中央）にある１つの閉位置の両側に位置する形で有する、というものである。ラグとＶ字形状ウィンドウとの協働という形を取る移動手段は、一種のネジ契合に例えられるものであり、Ｖ字形状のスレッドを有し、同一または異なる傾斜のスロープを備え、スロープ長が同一または異なる、というものである。
【図面の簡単な説明】
【００２１】
【図１】本発明のディスペンサヘッドが装着された流体ディスペンサを示す部分切り欠き斜視図である。
【図２】図１のディスペンサヘッドの拡大図である。
【図３】図１、２のディスペンサヘッドを閉状態において、斜め方向から見た場合の縦断面図である。
【図４】図３と同様の図であり、開状態における図である。
【図５】図４と同様の図であり、別の開状態における図である。
【図１】
2007516135.tif 000003
【図２】
2007516135.tif 000004
【図３】
2007516135.tif 000005
【図４】
2007516135.tif 000006
【図５】
2007516135.tif 000007
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
流体貯蔵器（１）と組み合わされる流体ディスペンサヘッドであって、
前記貯蔵器に形成された、あるいは、当該貯蔵器に取り付けられた静止ベース部（２）と、
ベース部（２）に回転可能な様態で取り付けられる回転アクチュエータ部材（３）であって、回転軸を中心に回転して両端の２つの接触位置の間を移動するように取り付けられた前記アクチュエータ部材（３）と、そして、
前記部材をベース部上で回転させることによって選択的に閉じることが可能なディスペンサ開口部（３０）と、を有し、
ディスペンサ開口部（３０）はベース部上での前記部材の回転軸上に位置しており、両端の２つの接触位置はディスペンサ開口部の２つの開位置を規定し、これら開位置は、ディスペンサ開口部が閉じた状態となる、少なくとも１つの位置によって隔てられており、
特徴となるのは、
前記部材（３）がベース部上で回転している間に、ベース部（２）に対して前記部材（３）を軸方向に移動させることができる軸方向移動手段（２２１，３２１）を有し、
軸方向移動手段は、低位部分（２２１０）で一体に接続された２つのセクション（２２１１，２２１２）が見られるガイド経路（２２１）を少なくとも１つ有し、２つのセクションの各々には端接触部（２２１３，２２１４）が形作られ、当該両端の接触部は各々が２つの開位置のいずれかに対応しており、前記低位部分は閉位置に対応しており、
前記複数のスロープは、傾斜および／または長さが異なっていること、である
という前記ディスペンサヘッド。
【請求項２】
ベース部には軸方向回転ガイドウィンドウ（２２１）が少なくとも１つ形成され、当該ウィンドウはベース部の周囲の一部にわたって延びており、前記ウィンドウはガイド経路を形作り、また、前記ウィンドウには２つの接合されたウィンドウセクション（２２１１，２２１２）が形成されており、第１セクションは第１のスロープを形作り、第２のセクション（２２１２）は、第１のスロープとは異なる第２のスロープを形作り、各セクションには接触端部（２２１３，２２１４）が形作られ、これら接触端部は軸方向に位置がずれており、
アクチュエータ部材は、少なくとも１つの軸方向回転ガイドラグ（３２１）を有し、当該ラグは前記ウィンドウに嵌まり、それによって、アクチュエータ部材がベース部上で回転させられている間、前記少なくとも１つのラグは、それに対応するウィンドウの中で移動することで、アクチュエータ部材（３）を軸方向に移動させ、それにより、ラグが第１セクションまたは第２セクションのいずれに対して接しているかに応じて、異なる高さに達すること、
を特徴とする請求項１に記載のディスペンサヘッド。
【請求項３】
ベース部（２）はリング（２２）を有し、当該リングの周囲には複数の軸方向回転ガイドウィンドウ（２２１）が分散配置された形で形成されており、部材（３）はリングを囲む形に延びたスカート（３２）を有し、当該スカートには、その内側に、複数の軸方向回転ガイドラグ（３２１）が形成されており、当該ラグはいずれかのウィンドウに嵌まること、
を特徴とする請求項１または２に記載のディスペンサヘッド。
【請求項４】
流体がディスペンサ開口部を通って流れる際の流速を、一方の開位置から他方の開位置までで変化させることを可能にする流速変化手段（２０）を更に有すること、
を特徴とする請求項１乃至３のいずれかに記載のディスペンサヘッド。
【請求項５】
部材（３）にはディスペンサ開口部（３０）が、そして、ベース部（２）には閉鎖ピン（２０）が形成されており、当該ピンは、閉位置ではディスペンサ開口部に嵌まっており、２つある開位置では、位置ごとに異なる量だけ開口部から外れ、それによって、開口部を通る流速を２つの開位置で変化させること、
を特徴とする請求項１乃至４のいずれかに記載のディスペンサヘッド。
【請求項６】
アクチュエータ部材（３）は軸方向ガイド手段（３６）を有し、当該手段（３６）は、ピン（２０）を囲む形で嵌められ、それによって、ピンは、前記軸方向ガイド手段の中でスライド移動できるように設置された形となり、
前記ガイド手段はディスペンサ開口部の周囲から下方向に延び、また、前記ガイド手段は複数のスロット（３６３）を形成し、当該スロットは、軸方向ガイド手段の中でのピンの位置に従ってサイズが変化すること、
を特徴とする請求項５に記載のディスペンサヘッド。
【請求項７】
軸方向ガイド手段は、ディスペンサ開口部の外周部から下向きに延びた複数のタブ（３６１）を有し、前記タブは、スライド移動可能な形でピンを囲む状態で嵌められているスクレーパ（３６２）によって接合されていること、
を特徴とする請求項６に記載のディスペンサヘッド。
【請求項８】
ベース部（２）は内部スリーブ（２１）を有し、当該スリーブの内部にピン（２０）が延びており、アクチュエータ部材は、スリーブの上に配置されてディスペンサ開口部（３０）が形成されている、というカバー（３１，３２）を有し、前記カバーは環状リップ（３３）を有し、当該リップは、前記スリーブ（２１）と、回転スライド運動型の耐漏洩接触の状態にあること、
を特徴とする請求項５乃至７のいずれかに記載のディスペンサヘッド。
【請求項９】
アクチュエータ部材（３）は、ベース部（２）によってブロックされる分離可能安全タブ（３５）を有し、それによって、閉位置では、アクチュエータ部材のベース部上での回転は防止されること、
を特徴とする請求項１乃至８のいずれかに記載のディスペンサヘッド。
【請求項１０】
両端の２つの開位置は、少なくとも１つの、中間にある固定された開位置によって隔てられていること、
を特徴とする請求項１乃至９のいずれかに記載のディスペンサヘッド。
【国際調査報告】
2007516135.tif 000008
2007516135.tif 000009
2007516135.tif 000010
2007516135.tif 000011